【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
着用状態において上下方向及び横方向と、前記上下方向と前記横方向とに交差する前後方向とを有し、肌対向面及び非肌対向面と、前ウエスト域と、後ウエスト域と、前記前後ウエスト域の間に位置するクロッチ域と、前記クロッチ域から前記前後ウエスト域へ延びる吸収性シャーシとを含む着用物品において、
前記後ウエスト域は、前記肌対向面に位置して前記横方向へ延びるウエストバンド部と、前記クロッチ域の側から上方へ延びる外壁部と、前記前後方向において前記ウエストバンド部と前記外壁部との間に位置して前記横方向へ弾性伸縮性を有する内壁部とを有し、
前記内壁部の弾性伸縮性によって前記内壁部が前記横方向へ収縮した状態では、前記ウエストバンド部と前記内壁部とが対向するとともに、前記内壁部と前記外壁部とが対向して前記内壁部と前記外壁部との間に空間が画成され、
前記吸収性シャーシの後端部は、不透液性又は難透液性のバックシートを有し、前記外壁部の内面において前記空間の内部に延在し、
前記外壁部の前記横方向における伸長応力が、前記内壁部の前記横方向における伸長応力よりも小さいことを特徴とする着用物品。
【請求項２】
前記後ウエスト域はシートによって形成され、前記シートを折り曲げることによって、前記ウエストバンド部と前記内壁部との間に位置して前記横方向へ延びる第１折曲部、前記内壁部と前記外壁部との間に位置して前記横方向へ延びる第２折曲部、前記ウエストバンド部、前記内壁部、及び前記外壁部が形成される請求項１に記載の着用物品。
【請求項３】
前記後ウエスト域は、壁部形成シートを有し、前記壁部形成シートを折り曲げることによって、前記ウエストバンド部と前記内壁部との間に位置して前記横方向へ延びる第１折曲部、前記ウエストバンド部、及び前記内壁部が形成される請求項１に記載の着用物品。
【請求項４】
前記ウエストバンド部は、前記横方向へ弾性伸縮性を有し、
前記ウエストバンド部、前記内壁部、及び前記外壁部の前記横方向における伸長応力の相関関係が、前記ウエストバンド部＞前記内壁部＞前記外壁部である請求項１〜３のいずれかに記載の着用物品。
【請求項５】
前記吸収性シャーシは、前記クロッチ域から前記前後ウエスト域まで延びる吸収性コアを有し、
前記吸収性コアは、前記内壁部と前記外壁部との間の前記空間の内部にまで延在している請求項１〜４のいずれかに記載の着用物品。
【請求項６】
未着用状態において、前記前ウエスト域のウエスト開口縁は、前記後ウエスト域のウエスト開口縁よりも下方に位置する請求項１〜５のいずれかに記載の着用物品。
【請求項７】
前記外壁部には、前記横方向へ収縮可能に延びる弾性体が配置されていない請求項１〜６のいずれかに記載の着用物品。
【請求項８】
前記後ウエスト域は、前記ウエストバンド部と前記内壁部と前記外壁部とをそれぞれ互いに接合する一対の第１固定域と、前記内壁部と前記外壁部とを互いに接合する一対の第２固定域とを有し、
前記第１固定域の前記横方向の寸法が、前記第２固定域の前記横方向の寸法よりも大きく、
前記第１固定域の内方に前記第２固定域が位置する請求項１〜７のいずれかに記載の着用物品。
【請求項９】
前記ウエストバンド部と前記内壁部とには、前記横方向へ収縮可能に延びる複数条の弾性体が配置され、
前記ウエストバンド部における前記弾性体の前記上下方向における寸法は、前記内壁部における前記弾性体の前記上下方向における寸法よりも小さい請求項１〜８のいずれかに記載の着用物品。
【手続補正２】
【補正対象書類名】明細書
【補正対象項目名】０００９
【補正方法】変更
【補正の内容】
【０００９】
前記課題を解決するため、本発明は、着用状態において上下方向及び横方向と、前記上下方向と前記横方向とに交差する前後方向とを有し、肌対向面及び非肌対向面と、前ウエスト域と、後ウエスト域と、前記前後ウエスト域の間に位置するクロッチ域と、前記クロッチ域から前記前後ウエスト域へ延びる吸収性シャーシとを含む着用物品を対象とする。
【手続補正３】
【補正対象書類名】明細書
【補正対象項目名】００１１
【補正方法】変更
【補正の内容】
【００１１】
後ウエスト域はシートによって形成され、シートを折り曲げることによって、ウエストバンド部と内壁部との間に位置して横方向へ延びる第１折曲部、内壁部と外壁部との間に位置して横方向へ延びる第２折曲部、ウエストバンド部、内壁部、及び外壁部が形成される。よって、後ウエスト域を構成するシートを折り曲げることによって、ウエストバンド部、内壁部、及び外壁部を形成することができるため、複数のシートを接着剤によって固定する必要をなくし、接着剤が硬化することによってシートの肌触りが低下することを防止することができる。
【手続補正４】
【補正対象書類名】明細書
【補正対象項目名】００１５
【補正方法】変更
【補正の内容】
【００１５】
未着用状態において、前ウエスト域のウエスト開口縁は、後ウエスト域のウエスト開口縁よりも下方に位置する。よって、着用物品を乳幼児が着用したときには、相対的に前ウエスト域の上端縁が低い位置となるので、着用者の臍部が露出されて、臍部が前ウエスト域に触れて不快感や刺激を与えるのを抑制することができる。
【手続補正５】
【補正対象書類名】明細書
【補正対象項目名】００２０
【補正方法】変更
【補正の内容】
【００２０】
図面は、本発明の特定の実施の形態を示し、発明の不可欠な構成ばかりでなく、選択的及び好ましい実施の形態を含む。
【図１】本発明の着用物品の一例である第１実施形態のおむつを背面側から視た斜視図。
【図２】未着用状態におけるおむつを正面から視た平面図。
【図３】各弾性体をおむつの横方向及び縦方向に伸長させた状態における、おむつの一部破断展開図。
【図４】おむつの分解斜視図。
【図５】後ウエストパネルの展開図。
【図６】図１のＶＩ−ＶＩ線断面図。
【図７】後ウエスト域における内壁部及び外壁部が変形した状態における図６と同様の断面図。
【図８】（ａ）着用者が仰臥状態において、脚を上げたときのおむつの様子を示す側面図。（ｂ）着用者が仰臥状態において、脚を伸ばしたときのおむつの側面図。
【図９】第２実施形態に係るおむつの図３と同様の図。
【手続補正６】
【補正対象書類名】明細書
【補正対象項目名】００２１
【補正方法】変更
【補正の内容】
【００２１】
本発明の着用物品の一例として示すパンツ型の使い捨ておむつ（プルオンおむつ）１０は、縦方向Ｙと、横方向Ｘと、それらに交差（直交）する厚さ方向である前後方向Ｚと、縦方向Ｙに沿って延び、その横方向Ｘの寸法を２等分する縦軸Ｐと、横方向Ｘへ沿って延び、その縦方向Ｙの寸法を２等分する横軸Ｑとを有する。
【手続補正７】
【補正対象書類名】明細書
【補正対象項目名】００２６
【補正方法】変更
【補正の内容】
【００２６】
＜ウエスト重なり部＞
図６を参照すると、おむつ１０の後ウエスト域１４は、着用状態のウエスト開口２１の側に大便等の排泄物を収容可能なウエスト重なり部３０を有している。ウエスト重なり部３０は、肌対向面に位置して着用者の身体に当接する帯状のウエストバンド部２３と、クロッチ域１５の側から上方へ延びる外壁部４３と、前後方向Ｚにおいてウエストバンド部２３と外壁部４３との間に位置する内壁部４２とを有し、ウエストバンド部２３と内壁部４２と外壁部４３とが前後方向Ｚへ重なるように配置してあって、内壁部４２と外壁部４３との間に空間Ｓを有するように画成されている。ウエストバンド部２３と内壁部４２とは、横方向Ｘへ延びる第１折曲ライン３１ａを介して連なり、内壁部４２と外壁部４３とは横方向Ｘへ延びる第２折曲ライン３３ａを介して連なっている。ウエスト重なり部３０は、縦軸Ｐを中心として横方向Ｘへ広がる所定面積域にわたって形成されており、下方へ向かって（未着用状態においては、クロッチ域１５の側へ向かって）開口可能である。ウエスト重なり部３０とは、後ウエスト域１４のウエスト開口２１の側に位置する。ここで、「後ウエスト域１４のウエスト開口２１の側」とは、後ウエスト域１４の縦方向Ｙの寸法を２等分する線よりも外端縁１４ｂ側の領域を意味する。
【手続補正８】
【補正対象書類名】明細書
【補正対象項目名】００４５
【補正方法】変更
【補正の内容】
【００４５】
各弾性体６３，６４，６５の繊度、ピッチ及び伸長倍率によって適宜調整することが可能であって、弾性体６３，６４，６５の太さについていえば、好ましくは、後下方ウエスト弾性体６３の太さは３１０〜１２４０ｄｔｅｘであり、バンド部弾性体６４の太さは３１０〜１２４０ｄｔｅｘであり、内壁部弾性体６５の太さは３１０〜１２４０ｄｔｅｘである。より好ましくは、後下方ウエスト弾性体６３の太さは４７０〜９４０ｄｔｅｘであり、バンド部弾性体６４の太さは４７０〜９４０ｄｔｅｘであり、内壁部弾性体６５の太さは４７０〜９４０ｄｔｅｘである。また、伸長倍率についていえば、好ましくは、後下方ウエスト弾性体６３は２．０〜３．５倍、バンド部弾性体６４は１．８〜３．０倍、内壁部弾性体６５は１．８〜３．０倍に伸長された状態でシート６１，６２に取り付けられている。
【手続補正９】
【補正対象書類名】明細書
【補正対象項目名】００６６
【補正方法】変更
【補正の内容】
【００６６】
本発明のおむつ１０を構成する各構成材料には、特に記述がなされている場合を除き、この種の分野において通常用いられている、各種の公知の材料を制限なく用いることができる。また、おむつ１０の基本構造として、本明細書においては、前ウエストパネル１７と後ウエストパネル１８と吸収性シャーシ１２の３つのパネルから構成されるおむつ１０を例示したが、前後ウエスト域１３，１４及びクロッチ域１５が連続するパネルによって構成してもよい。また、未着用状態において、前後ウエスト域１３，１４の両側縁部が連結されたプルオンタイプのおむつではなく、未着用状態において、前後ウエスト域の両側縁部が連結されておらず、おむつ１０を着用するときにテープファスナで両側縁部を連結するオープンタイプのおむつであってもよし、未着用状態において、横方向Ｘの一方を連結してある一方、他方を開放してあり、着用するときに横方向Ｘの他方をテープファスナで連結するオープンタイプのおむつでもよい。また、本明細書において使用されている「第１」〜「第２」等の用語は、同様の要素、位置等を単に区別するために用いてある。